(57)【要約】【課題】  軽量の照明器具であって、簡単に天井に取り付けて固定することができ、発熱量が少なく明るい天井用ＬＥＤ照明装置を提供する。【解決手段】  ＬＥＤの発光体からなる照明部と天井に設けるコンセント部とからなる天井用照明装置であって、照明部は、長尺のベース部材に両端部に入力端子を有するＬＥＤの発光体を取付け、発光体の両端部はソケット部材を介して前記ベース部材に固着するとともに、ソケット部材の少なくとも一方には定められた極性を有するプラグを設け、前記コンセント部は天井に設けられるとともに、照明部のプラグに対応する差し込み口が設けられており、差し込み口には前記ＬＥＤの発光体に対応する直流電源が供給され、照明部とコンセント部とには、ベース部材をコンセント部から抜け落ちないようにソケット部材とコンセント部とに固定ロック手段を設けた天井用ＬＥＤ照明装置である。【選択図】図８
2008047377.tif 000002
【特許請求の範囲】
【請求項１】
ＬＥＤの発光体からなる照明部と天井に設けるコンセント部とからなる天井用照明装置であって、
前記照明部は、長尺のベース部材の両端部に入力端子を有するＬＥＤの発光体を取付け、該発光体の両端部はソケット部材を介して前記ベース部材に固着するとともに、該ソケット部材の少なくとも一方には定められた極性を有するプラグを設け、
前記コンセント部は天井に設けられるとともに、前記照明部のプラグに対応する差し込み口が設けられており、該差し込み口には前記ＬＥＤの発光体に対応する直流電源が供給され、
前記照明部と前記コンセント部とには、該ベース部材をコンセント部から抜け落ちないようにソケット部材とコンセント部とに固定ロック手段を設けたことを特徴とする天井用ＬＥＤ照明装置。
【請求項２】
前記プラグは、一方のソケット部材にだけ設けたことを特徴とする請求項１に記載の天井用ＬＥＤ照明装置。
【請求項３】
前記プラグは、両端のソケット部材に設けたことを特徴とする請求項１に記載の天井用ＬＥＤ照明装置。
【請求項４】
前記コンセント部のプラグを固定ロック手段を中心として複数設けたことを特徴とする請求項１に記載の天井用ＬＥＤ照明装置。
【発明の詳細な説明】
【技術分野】
【０００１】
本発明は、天井に取付て部屋を照明する天井用ＬＥＤ照明装置に関する。
【背景技術】
【０００２】
従来より、天井に取付て部屋を照明する照明器具は白熱電灯や天井露出型蛍光灯や天井埋込式の蛍光灯が使用されている。
白熱電灯は古くから現在に至るまで取付の簡便性や雰囲気から多用されているが、寿命や高温の発熱や電流消費に対する明るさの点に問題があった。このため、大半の家庭や事務室等の照明は蛍光灯照明器具が使用されている。
これらの照明器具のうち、天井に直に取り付ける埋込式の蛍光灯照明器具(例えば、特許文献１)は、天井空間が広く感じられるという利点があるが、蛍光灯ａを組み込んだ蛍光灯ベース器具ｂに相当する天井ボード開口及び下地開口ｃを必要とし、安定器或いはインバータ回路等の重量のある電源供給部ｄが必要であって、断面Ｔ型の天井Ｔバーｅに直接支持させるか、或いは、天井裏スペースにボルトｆ等で吊る必要があり、また、重量のあることから施工工事には二人一組の作業となり、更には、安定器ｄ等による発熱も無視できず空調の冷熱負荷となっていた。
【発明の開示】
【発明が解決しようとする課題】
【０００３】
ところで、従来より発熱量が小さく発光効率の良い非白色のＬＥＤが開発され、特許文献２に開示されているように、平板状のＥＬ素子が車内灯等の小規模の照明に利用され、特許文献３に開示されているように、小規模の常夜灯として利用されているが、通常の部屋に用いる天井用のＬＥＤ照明器具は実用化されていない。しかし、近時、発光効率７０lm／Ｗで光束１４５lmの照明用白色パワーＬＥＤランプが開発され、通常の部屋に用いる天井用のＬＥＤ照明器具を提供することが可能となった。
【特許文献１】特開平５−８９７１４号公報
【特許文献２】特開平１−２８１６０３号公報
【特許文献３】実用新案登録第３１１４２８０号公報
【０００４】
本発明は、前述の従来の実情に鑑みてなされたもので、照明用白色パワーＬＥＤランプの軽量小型で明るいことに着目し、軽量の照明器具であって、簡単に天井に取り付けて固定することができ、発熱量が少なく明るい天井用ＬＥＤ照明装置を提供しようとするものである。
【課題を解決するための手段】
【０００５】
上記課題を解決するために、請求項１の発明は、ＬＥＤの発光体からなる照明部と天井に設けるコンセント部とからなる天井用照明装置であって、前記照明部は、長尺のベース部材の両端部に入力端子を有するＬＥＤの発光体を取付け、該発光体の両端部はソケット部材を介して前記ベース部材に固着するとともに、該ソケット部材の少なくとも一方には定められた極性を有するプラグを設け、前記コンセント部は天井に設けられるとともに、前記照明部のプラグに対応する差し込み口が設けられており、該差し込み口には前記ＬＥＤの発光体に対応する直流電源が供給され、前記照明部と前記コンセント部とには、該ベース部材をコンセント部から抜け落ちないようにソケット部材とコンセント部とに固定ロック手段を設けたことを特徴とする天井用ＬＥＤ照明装置である。
請求項２の発明は、前記プラグは、一方のソケット部材にだけ設けたことを特徴とする請求項１に記載の天井用ＬＥＤ照明装置である。
請求項３の発明は、前記プラグは、両端のソケット部材に設けたことを特徴とする請求項１に記載の天井用ＬＥＤ照明装置である。
請求項４の発明は、前記コンセント部のプラグを固定ロック手段を中心として複数設けたことを特徴とする請求項１に記載の天井用ＬＥＤ照明装置である。
【発明の効果】
【０００６】
本発明によれば、軽量小型のＬＥＤの発光体の照明部であるから、単に天井に設けたコンセント部に照明部のプラグを差し込むだけで簡単に天井に取り付けられ、固定ロック手段を用いて照明部のベース部材がコンセント部から抜け落ちないように固着したので、天井から落下することがない。また、照明装置も蛍光灯のように安全器等が不要で、照明部を取り付けるコンセント部も小型軽量にすることが出来るので、狭い場所に設置することができ、設置工事も簡単である。
更に、ＬＥＤの発光体は同じ明るさの蛍光灯に比べて軽量の上に小型であるから、コンセント部に複数のプラグを配置することによって、適宜発光体の配置を変更することができ、また、発光体の数も変更することができるから、照らす場所や明るさをより適したものとすることができる。
また、ＬＥＤは光量に比較して発熱量が少ないから、空調への冷熱負荷が少なくなり、照明自体の電力消費量と空調電力消費量とを減少させることができる。
【発明を実施するための最良の形態】
【０００７】
本発明の前提となる照明用白色パワーＬＥＤランプ（シチズン電子社製CL-L100）は、単体が４mm×40mm×0.75mmと薄型で、発光効率70lm/Wで光束145lmであり、これらを適宜並べて配置することで、蛍光灯を上回る所望の光量の白色照明の発光体が得られることに着目したものであり、以下に、本発明の好適な天井用ＬＥＤ照明装置の実施例を図面に沿って説明する。
【実施例１】
【０００８】
[照明部]
図１から図３は、実施例１における天井用ＬＥＤ照明装置の照明部１の全体を示すもので、複数のＬＥＤの集合からなる発光体１１は、約幅が７mm、厚さが２mm、長さは３００mm以上の所望の長さである長尺の発光体を更に集合したもので、薄板状で蛍光灯に比べて遙かに軽量小型である。
前記発光体１１は両端部に入力端子(図示せず)を有し、長尺のベース部材１２のほぼ中央に取付けられ、発光体１１の左端部の入力端子にはプラス（＋）極コネクタ１３ａを、右端部の入力端子にはマイナス(−)極コネクタ１３ｂをそれぞれ嵌挿して接続し、さらに、プラス（＋）極コネクタ１３ａをプラグ付ソケット部材１４ａとともにベース部材１２に固着し、また、マイナス（−）極コネクタ１３ｂをソケット部材１４ｂとともにベース部材１２に固着し、前記プラグ付ソケット部材１４ａのプラグ１５の差し込みピン１５a,１５bはベース部材１２の下側、すなわち、発光体１１の反対側に突出している。
【０００９】
前記プラグ１５は、ＬＥＤが極性を有することから定められた極性を有するプラグであるが、プラグ付ソケット部材１４ａにおいて、差し込みピン１５aとプラス（＋）極コネクタ１３ａの入力端子とはプラス電極リード線１６aで導通し、他方の差し込みピン１５ｂとマイナス（−）極コネクタ１３ｂの入力端子とはマイナス電極リード線１６ｂで導通している。
このプラグ１５の一対の差し込みピン１５a,１５ｂは、発光体１１がＬＥＤであるので極性を誤らないように、直流の陽極に対応する差し込みピン１５aはベース部材１２の長手方向に対して直角方向の細平板状、直流の陰極に対応する差し込みピン１５ｂはベース部材１２の長手方向に対して平行方向の細平板状として、定められた極性を有するプラグである。
また、本実施例は、後述するように、天井５(図８参照)の下側からプラグ１５をコンセント部２の電極差し込み部２２に挿入するが、挿入しただけでは、天井５から床側に落下する虞があるので、ベース部材１２をコンセント部２から抜け落ちないように、プラグ付ソケット部材１４ａの適所には、コンセント部２の固定貫通孔２３と同軸芯の固定貫通孔１８が設けられ、固定ロック手段を形成している。
なお、ベース部材１２はアルミの押し出し成型品を用いたもので、長手方向の凹溝を利用して電極リード線１６a,１６bを配線しており、ベース部材１２の両端部にはめくら蓋１７a,１７bが嵌挿されている。勿論、ベース部材１２はアルミ製でなくプラスチック製の成型品でもよい。
【００１０】
[コンセント部]
図４は、実施例１における天井用ＬＥＤ照明装置のコンセント部２のプレート２１全体を示すもので、このプレート２１の大きさも家庭用の通常コンセント部の大きさである。このコンセント部２は通常天井５(図８参照)に設けられるが、壁や柱に設けても良い。
このコンセント部２は、プレート２１と背面にあるコンセント取付基板部３とから構成され、プレート２１には、コンセント取付基板部３から露出する照明部１のプラグ１５に対応する差し込み口２２が設けられており、一方の差し込み口２２aはベース部材１２の長手方向に対して直角方向に長い矩形であり、プラグ１５が差し込まれると直流のプラス(＋)側が供給され差し込みピン１５aに導通する。また、他方の差し込み口２２ｂはベース部材１２の長手方向に対して平行方向に長い矩形であり、直流のマイナス(−)側が供給され差し込みピン１５ｂに導通する。また、コンセント部２の左右両端側にはコンセント部２をコンセント取付基板部３に取り付ける取付孔２４a,２４bが設けられ、この取付孔２４a,２４bには取付ボルト２５a,２５bが挿入係合する。さらに、差し込み口２２と取付孔２４aの間には、後述する照明部１の固定貫通孔１８と同軸芯の固定貫通孔２３が設けられ、固定ロック手段を形成している。
【００１１】
一方天井５(図８参照)側或いは壁側には、図５及び図６に示すように、従来公知のコンセント取付構造と同様に、コンセント取付基板部３が設けられており、このコンセント取付基板部３の基板３１の中央には、前述の差し込み口２２の前面が露出しており、差し込み口２２の本体は一対の固定ネジ３５a,３５bにより基板３１に固定されている。
基板３１の背部には、基板３１の主要部を覆うようにコンジットボックス３４が設けられ、左右両側面に電源配線用ノック穴３９a,３９bを設けられ、取付ネジ３６a,３６bとナット部３７a,３７bによって固着されている。
ここで、コンセント部２のプレート２１をコンセント取付基板部３に取り付けるには、コンセント部２の取付孔２４a,２４bにボルト２５a,２５bを挿入し、コンセント取付基板部３のナット部３８a,３８bに係合して固定する。
また、プレート２１面上の差し込み口２２とナット部３６aの間には、後述するように、照明部１の固定貫通孔１８、及び、固定貫通孔２３と同軸芯の貫通孔３２が設けられ、貫通孔３２の背面にはナット部３３が固着され、固定ロック手段を形成している。
このように、ＬＥＤの集合照明部と同じ明るさの蛍光灯に比べて小型軽量であるから、照明部を取り付けるコンセント部も小型軽量にすることが出来るので設置工事が簡単である。また、天井用ＬＥＤ照明装置全体が小型軽量であることから、従来の天井ボードは勿論のこと、最近の天井Ｔバーシステム構造の天井ボードやＴバー自体にも取り付けることができ、天井工事を簡素化できる。
【００１２】
[固定ロック手段]
図７、及び、図８に示すように、照明部１とコンセント部２とは、照明部１のベース部材１２がコンセント部２から抜け落ちないような固定ロック手段４を形成している。
この固定ロック手段４は、照明部１の固定貫通孔１８、コンセント部２の固定貫通孔２３、コンセント取付基板部３の貫通孔３２と背面のナット部３３とが同軸芯上にあり、最上部の固定貫通孔１８からロックボルト４１を挿入し、ナット部３３に係合させ固着するものである。
このように構成することで、天井に設けたコンセント部に照明部のプラグを差し込むだけで、簡単に天井に取り付けられ、照明部のベース部材をコンセント部から抜け落ちないように固定ロック手段により固着したので、地震等の振動があっても天井５から落下することがない。
この実施例の固定ロック手段４は、主に、ボルト４１とナット部３３との組み合わせにしたが、勿論、他のスナップを利用したロック手段でもよい。
【００１３】
[電源装置]
実施例１のプラグ２２、及び、発光体１１に電源を供給する電源装置６を図９に沿って説明する。
本発明の発光体１１は複数のＬＥＤの集合体であり、ＬＥＤを並列、直列、或いは、これらの組み合わせ回路構成によって加電圧が変えられるが、本実施例では最適作動電圧をＤＣ１２Ｖの発光体を用いた。
この発光体への電力供給する電源装置６は、図９に示すブロック図に示すように、商用交流１００Ｖ電源をスイッチ６１を介して入力し、トランス６２によって１００Ｖを１８Ｖ程度に変圧し、これをダイオードブリッジ６３によって直流に整流し、大容量コンデンサー６４によって平滑し、３端子レギュレータＩＣ６５の電源安定化回路回路によて７Ｖから１５Ｖの所望の直流定電圧を供給するようにしており、発光体１１の両端での電圧がＤＣ１２Ｖになるようにしている。
天井用ＬＥＤ照明装置のコンセント部２は、天井の所望位置に所望数を据え付ければ良いが、前記電源装置６は一括して電力を供給しても、個々のコンセント部２毎に設けて電力を供給してもよい。
【００１４】
以上のように、請求項１及び２に対応する実施例１では、ＬＥＤの発光体であるから軽量の照明部であるから、単に天井に設けた１つのコンセント部に照明部のプラグを差し込む、ボルト固定を締めるだけで、簡単に天井に強固に取り付けられ、照明部のベース部材をコンセント部から抜け落ちないようにすることができる。また、ＬＥＤは光量に比較して発熱量が少なくから、空調への冷熱負荷が少なくなくなり、照明自体の電力消費量と空調電力消費量とを減少させることができる。
【実施例２】
【００１５】
実施例２は、図１０から図１１に照明部１’の全体を示すように、複数のＬＥＤの集合からなる発光体１１は実施例１と同じ、若しくはより長尺のものであるが、実施例２が実施例１と異なるのは、実施例１でのソケット部材１４ｂをプラグ付ソケット１４a'として、ベース部材１２のに両端をプラグ１５，１５’を有するプラグ付ソケット部材１４a,１４a'とした構成であり、他の構成は、実施例１と同じであるので、細かな説明は省略する。
前述したように、実施例２では、ベース部材１２の両端をプラグ付ソケット部材14a,14a'とし、発光体１１のプラス極に導通した差し込みピン15a,15a'と、マイナス極に導通した差し込みピン15b,15b'とから構成されるプラグ15,15'が設けられている。このプラグ15,15'に対応して、実施例１で説明したコンセント部２を天井の所定の２箇所に設ける。
したがって、実施例２の天井用ＬＥＤ照明装置は、一対のプラグ15,15'をそれぞれのコンセント部２の差し込み口22,22a,22bに差し込み、固定ロック手段４は照明部１の固定貫通孔１８,１８'、コンセント部２の固定貫通孔２３、コンセント取付基板部３の貫通孔３２と背面のナット部３３とが同軸芯上にあり、両端の最上部の固定貫通孔１８,１８'からロックボルト４１を挿入し、ナット部３３に係合させ固着する。
このように両端部の２箇所で、プラグ15,15'を差し込み口２２に嵌合し、固定貫通孔１８,１８'とロックボルト４１等の固定ロック手段４で固定するから、実施例１に比して更に強固に固着される。したがって、振動が多く過酷な場所に適合し、また、照明部１の重量が大きい場合にも適する。
なお、本実施例では、一対のプラグ15,15'、及び、発光体１１にＤＣ電源を供給しているが、どちらか一方にＤＣ電源を供給するようにしてもよい。
【実施例３】
【００１６】
実施例１のコンセント部２について、他の実施例３を図１２に沿って説明する。
この実施例３が実施例１と異なる構成は、コンセント部２’のプレート２１内に、差し込み口２２,２２'を２個設ける構成とした点であり、他の構成は実施例１と同じであるので説明は省略する。
実施例３のコンセント部２'におけるプレート２１の２個の差し込み口２２,２２'は、固定ロック手段４を構成する固定貫通孔２３を中心とした点対称に設けてあり、したがって、照明部１は、必要に応じて、固定貫通孔２３を中心として、一点鎖線(１−１)の配置と二点鎖線(１−２)の配置の左右の２通りの配置に強固に固着設置することができ、照明のレイアウトを簡単に変更することができる。
【実施例４】
【００１７】
実施例１のコンセント部２について、更に、他の実施例４を図１３に沿って説明する。
この実施例４がや実施例３と異なる構成は、コンセント部２のプレート２１内に、差し込み口２２,２２'を２個設ける構成を、さらに、同じ構成を並列にして、合計４個の差し込み口(２２,２２）×２を設けた点であり、他の構成は実施例１及び実施例３と同じであるので説明は省略する。
実施例４のコンセント部２におけるプレート２１のの２列の差し込み口２２,２２'は、固定ロック手段４を構成する固定貫通孔２３,２３'を中心とした点対称に設けてあり、したがって、照明部１は、必要に応じて、固定貫通孔１８を中心として、一点鎖線(１−１)の配置と二点鎖線(１−２)の配置の左右の２通りの配置に加えて、照明部１を２列平行(一点鎖線：１−３)、(二点鎖線：１−４）に配置でき、明るさをより必要とする場所に使用することができる。
【００１８】
以上説明したように、本発明の各実施例によれば、ＬＥＤの発光体であるから軽量の照明部であるから、単に天井に設けたコンセント部の差し込み口に照明部のプラグを差し込むだけで簡単に天井に取り付けられ、固定ロック手段を用いて照明部のベース部材からコンセント部から抜け落ちないように固着したので、天井から落下することがない。
また、本発明の各実施例の天井用ＬＥＤ照明装置は、ＬＥＤの発光体は同じ明るさの蛍光灯に比べて軽量の上に小型であるから、コンセント部に複数のプラグを配置することによって、適宜発光体の配置を変更することができ、また、発光体の数も変更することができるから、照らす場所や明るさをより適したものとすることができる。また、従来の天井ボード等に取り付けられることは勿論のこと、軽量で幅も細くできることから、最近の天井Ｔバーシステムの天井構造のボードやＴバー自体にも取り付けることができ、天井工事を簡素化できる。
更に、ＬＥＤは光量に比較して発熱量が少なくから、空調への冷熱負荷が少なくなくなり、照明自体の電力消費量と空調電力消費量とを減少させることができる。
なお、本発明の特徴を損うものでなければ、上記の各実施例に限定されるものでないことは勿論である。
【図面の簡単な説明】
【００１９】
【図１】本発明の実施例１の照明部の上面図
【図２】図１の(２)−(２)での断面図
【図３】図１の底面図
【図４】本発明の実施例１のコンセント部の上面図
【図５】本発明の実施例１のコンセント取付基板部の上面図
【図６】図５の断面図
【図７】実施例１の照明部とコンセント部を組み合わせた状態の上面図
【図８】図７の側断面図
【図９】本発明の実施例１の電源装置のブロック図
【図１０】本発明の実施例２の照明部の上面図
【図１１】図１１の側断面図
【図１２】本発明の実施例３のコンセント部の上面図
【図１３】本発明の実施例４のコンセント部の上面図
【図１４】従来公知の蛍光灯照明装置を説明する斜視図である。
【符号の説明】
【００２０】
１…照明部、１１…発光体、１２…ベース部材、13a…プラス極コネクタ、
13b…マイナス極コネクタ、14a…プラグ付ソケット部材、
14b…ソケット部材、１５…プラグ、15a,15b…差し込みピン、
16a,16b…電極リード線、17a,17b…めくら蓋,１８…固定貫通孔、
２,２'…コンセント部、２１…プレート、
22,22a,22b,22',22a',22b'…差し込み口、２３,２３'…固定貫通孔、
24a,24b…取付孔、25a,25b…取付ボルト、
３…コンセント取付基板部、３１…基板、３２…固定貫通孔、
３３,３３'…ナット部、３４…コンジットボックス、35a,35b…固定ネジ、
36a,36b…取付ネジ、37a,37b…ナット部、38a,38b…ナット部、
39a,39b…電源配線用ノック穴、
４…固定ロック手段、４１…ロックボルト、５…天井、
【図１】
2008047377.tif 000003
【図２】
2008047377.tif 000004
【図３】
2008047377.tif 000005
【図４】
2008047377.tif 000006
【図５】
2008047377.tif 000007
【図６】
2008047377.tif 000008
【図７】
2008047377.tif 000009
【図８】
2008047377.tif 000010
【図９】
2008047377.tif 000011
【図１０】
2008047377.tif 000012
【図１１】
2008047377.tif 000013
【図１２】
2008047377.tif 000014
【図１３】
2008047377.tif 000015
【図１４】
2008047377.tif 000016